【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
タービン機関（１００）用の燃焼器（１０４）の少なくとも１つの空気経路に動作可能に関連する空気制御アセンブリ（４０６）と、
前記タービン機関（１００）の少なくとも１つの運転パラメータを検知するように動作可能な少なくとも１つの検知器（４０２）と、
前記少なくとも１つの検知器（４０２）によって検知した前記少なくとも１つの運転パラメータに少なくとも一部が基づいて、前記空気制御アセンブリ（４０６）を選択的に制御するように動作可能な制御装置（４０４）であって、前記少なくとも１つの運転パラメータに少なくとも一部が基づいて、前記燃焼器（１０４）に関連する変化する空気経路の有効流動面積を求めるようにさらに動作可能であり、かつ前記制御装置（４０４）によって求めた前記有効流動面積に少なくとも一部が基づいて、前記空気制御アセンブリ（４０６）を選択的に制御するようにさらに動作可能である、制御装置（４０４）と、
を備える、タービン機関（１００）用の燃焼器（１０４）を制御するシステム。
【請求項２】
前記少なくとも１つの検知器（４０２）は複数の検知器（４０２）を備え、前記制御装置（４０４）は、前記複数の検知器（４０２）の少なくとも１つによって検知した前記少なくとも１つの運転パラメータに少なくとも一部が基づいて前記空気制御アセンブリ（４０６）を選択的に制御するように動作可能である、請求項１記載のシステム。
【請求項３】
前記少なくとも１つの検知器（４０２）は、排気温度検知器、動的圧力検知器、タービン入口空気温度検知器、タービン質量流量検知器、圧縮機出口温度検知器、圧縮機出口圧力検知器、排出物質検知器、火炎検出器、静的空気圧力検知器、静的空気温度検知器、火炎光学排出物質検知器、イオン化検出器、室内空気温度検知器、電力計、デルタ圧力検知器、一点流体流量計、または紫外線検知器の少なくとも１つを備える、請求項１記載のシステム。
【請求項４】
前記制御装置（４０４）は、前記タービン機関（１００）の運転中に前記燃焼器（１０４）に関連する有効流動面積を求めるように、かつ前記制御装置（４０４）によって求めた前記有効流動面積に少なくとも一部が基づいて、前記燃焼器（１０４）の動作を調節するようにさらに動作可能である、請求項１記載のシステム。
【請求項５】
前記制御装置（４０４）は、前記制御装置（４０４）によって求めた前記有効流動面積に少なくとも一部が基づいて前記燃焼器（１０４）の動作を調節するために、前記空気制御アセンブリ（４０６）を選択的に制御するように動作可能である、請求項４記載のシステム。
【請求項６】
前記燃焼器（１０４）は第１の燃焼器（１０４）を備え、前記空気制御アセンブリ（４０６）は前記第１の燃焼器（１０４）の空気経路に動作可能に関連する第１の空気制御アセンブリ（４０６）を備えて、前記システムは、
前記タービン機関（１００）の第２の燃焼器（１０４）と、
前記第２の燃焼器（１０４）の空気経路に動作可能に関連する第２の空気制御アセンブリ（４０６）と、をさらに備え、
前記制御装置（４０４）は、前記少なくとも１つの検知器（４０２）によって検知した前記少なくとも１つの運転パラメータに少なくとも一部が基づいて、前記第２の空気制御アセンブリ（４０６）とは別個に、前記第１の空気制御アセンブリ（４０６）を選択的に制御するように動作可能である、請求項１記載のシステム。
【請求項７】
前記空気制御アセンブリ（４０６）は前記燃焼器（１０４）のフロースリーブ（３１２）に隣接して配置した少なくとも１つのカラー（３１２）を備え、前記制御装置（４０４）は、前記フロースリーブ（３１２）に関連する有効流動面積を変更することによって前記フロースリーブ（３１２）を通る空気流量を変更するために、前記少なくとも１つのカラー（３１８）を選択的に調節するように動作可能である、請求項１記載のシステム。
【請求項８】
前記空気制御アセンブリ（４０６）は、前記燃焼器（１０４）の環状部の内部に位置決めした絞りを備えて、空気が前記環状部を通って少なくとも１つの燃料予混合器（３０４）または燃焼室（１０８）の中へ流入し、前記制御装置（４０４）は、前記環状部を通る空気流量を変更するために前記絞りを選択的に調節するように動作可能である、請求項１記載のシステム。
【請求項９】
前記絞りは燃焼ライナ（３１０）の前記燃焼器（１０４）上流の前記環状部の内部に位置決めした、少なくとも１つの静翼またはフォイルを備える、請求項８記載のシステム。
【請求項１０】
前記空気制御アセンブリ（４０６）は、少なくとも１つの燃料予混合器（３０４）または燃料噴射器（１１６）の空気入口に隣接して配置した少なくとも１つの蓋を備え、前記制御装置（４０４）は前記少なくとも１つの燃料予混合器（３０４）または燃料噴射器を通る空気流量を変更するために、前記少なくとも１つの蓋を選択的に調節するように動作可能である、請求項１記載のシステム。
【請求項１１】
タービン機関（１００）に関連する少なくとも１つの検知器（４０２）から少なくとも１つの運転パラメータを受け取ることと、前記少なくとも１つの運転パラメータに少なくとも一部が基づく、前記燃焼器（１０４）に関連する変化する流れの経路の有効流動面積を求めることと、前記有効流動面積に少なくとも一部が基づいて、前記タービン機関（１００）の燃焼器（１０４）の空気経路に動作可能に関連する空気制御アセンブリ（４０６）を選択的に制御することとを備える、タービン機関（１００）を制御する方法。
【請求項１２】
前記タービン機関（１００）の運転中に前記燃焼器（１０４）に関連する有効流動面積を求めることと、前記タービン機関（１００）の運転中に求めた前記有効流動面積に少なくとも一部が基づいて、前記燃焼器（１０４）の動作を調節することとをさらに備える、請求項１１記載の方法。
【請求項１３】
前記燃焼器（１０４）は第１の燃焼器（１０４）を備え、前記空気制御アセンブリ（４０６）は第１の空気制御アセンブリ（４０６）を備えて、前記方法は、前記第１の空気制御アセンブリ（４０６）とは別個に、前記タービン機関（１００）の第２の燃焼器（１０４）の空気経路に関連する第２の空気制御アセンブリ（４０６）を選択的に制御する方法をさらに備える、請求項１１記載の方法。
【請求項１４】
前記少なくとも１つの運転パラメータは前記第１の燃焼器（１０４）に関連する第１の運転パラメータと、前記第２の燃焼器（１０４）に関連する第２の運転パラメータとを備えて、前記方法は、前記第１の運転パラメータに少なくとも一部が基づいて前記第１の空気制御アセンブリ（４０６）を選択的に制御することと、前記第２の運転パラメータに少なくとも一部が基づいて前記第２の空気制御アセンブリ（４０６）を選択的に制御することとをさらに備える、請求項１３記載の方法。
【請求項１５】
前記空気制御アセンブリ（４０６）を動作可能に選択的に制御することは、フロースリーブ（３１２）を通る空気流量を変更すること、前記燃焼器（１０４）の環状部を通って少なくとも１つの燃料予混合器（３０４）、燃料噴射器または燃焼室（１０８）の中へ流入する空気流量を変更すること、または少なくとも１つの燃料予混合器（３０４）もしくは燃料噴射器を通る空気流量を変更することのうち、少なくとも１つを備える、請求項１１記載の方法。
【請求項１６】
前記少なくとも１つの運転パラメータを受け取ることは、排気温度検知器、動的圧力検知器、タービン入口空気温度検知器、タービン質量流量検知器、圧縮機出口温度検知器、圧縮機出口圧力検知器、排出物質検知器、火炎検出器、静的空気圧力検知器、静的空気温度検知器、火炎光学排出物質検知器、イオン化検出器、室内空気温度検知器、電力計、デルタ圧力検知器、一点流体流量計または紫外線検知器のうち、少なくとも１つを受け取ることを含む、請求項１１記載の方法。
【請求項１７】
タービン機関（１００）の第１の燃焼器（１０４）に関連する第１の検知器（４０２）から第１の運転パラメータを受け取ることと、前記タービン機関（１００）の第２の燃焼器（１０４）に関連する第２の検知器（４０２）から第２の運転パラメータを受け取ることと、前記第１の運転パラメータに少なくとも一部が基づいて、前記第１の燃焼器（１０４）に関連する第１の変化する空気経路の第１の有効流動面積を求めることと、前記第２の運転パラメータに少なくとも一部が基づいて、前記第２の燃焼器（１０４）に関連する第２の変化する空気経路の第２の有効流動面積を求めることと、前記第１の有効流動面積に少なくとも一部が基づいて、前記第１の燃焼器（１０４）に動作可能に関連する第１の空気制御アセンブリ（４０６）を選択的に制御することと、前記第２の有効流動面積に少なくとも一部が基づいて、前記第２の燃焼器（１０４）に動作可能に関連する第２の空気制御アセンブリ（４０６）を選択的に制御することとを備える、タービン機関（１００）を制御する方法。
【請求項１８】
前記第１の運転パラメータに少なくとも一部が基づいて、前記第１の燃焼器の動作を調節することと、前記第２の運転パラメータに少なくとも一部が基づいて、前記第２の燃焼器の動作を調節することとをさらに備える、請求項１７記載の方法。